(57)【要約】  【課題】  記録再生装置において、簡易かつ低コストなテープガイド構成により、テープ上の異物を除去可能にする。  【解決手段】  テープガイドとして、フランジ部に、テープ走行時にテープ端面が交差して接する切欠部を備えた構成とする。【選択図】  図１
2005322303.tif 000002
【特許請求の範囲】
【請求項１】
テープガイドで走行規制したテープに対し信号を記録または再生する記録再生装置であって、
上記テープガイドが、フランジ部に、テープ走行時にテープ端面が交差して接する切欠部を備えていることを特徴とする記録再生装置。
【請求項２】
上記切欠部は、上記テープガイドのフランジ部に、らせん状または放射状に設けられる請求項１に記載の記録再生装置。
【請求項３】
上記テープガイドのフランジ部は、テープ走行とともに回転する構成である請求項１に記載の記録再生装置。
【請求項４】
上記切欠部は、断面がテーパ状とされている請求項１から３のいずれかに記載の記録再生装置。
【請求項５】
信号を記録または再生するテープを走行規制する記録再生装置用のテープガイドであって、
フランジ部に、テープ走行時にテープ端面が交差して接する切欠部を備えていることを特徴とする記録再生装置用のテープガイド。
【発明の詳細な説明】
【技術分野】
【０００１】
本発明は、記録再生装置におけるテープ走行用のテープガイド技術に係り、特に、テープに付着した磁性粉などの異物を自動的に除去する技術に関する。
【背景技術】
【０００２】
近年、磁気テープを使用した記録再生装置においては高記録密度化が進み、磁気テープ上に付着した磁性粉やほこりなどによるドロップアウトが記録再生信号の信頼性に大きく影響するようになってきた。これを防ぐために、例えば、特開平５−１８９９３０号公報（特許文献１）には、ナイフエッジ状のテープクリーナをテープ走行系中に設け、該テープクリーナにより、磁気テープ面上に付着した埃等の異物を除くとした技術が記載されている。
【０００３】
【特許文献１】特開平５−１８９９３０号公報
【発明の開示】
【発明が解決しようとする課題】
【０００４】
例えば上記公報記載の技術は、専用の設置スペースを要し、製作コストも増大し易い。
本発明の課題点は、上記従来技術の状況に鑑み、記録再生装置において、専用の設置スペースも不要で、かつコスト増大も抑えられる手段により、テープ上の異物を除去できるようにすることである。
本発明の目的は、上記課題点を解決し、高密度記録にも対応可能な記録再生装置のテープガイド技術を提供することにある。
【課題を解決するための手段】
【０００５】
上記課題点を解決するために、本発明では、記録再生装置として、テープガイドを、そのフランジ部に、テープ走行時にテープ端面が交差して接する切欠部を備えた構成とする。
【発明の効果】
【０００６】
本発明によれば、記録再生装置において、簡易な構成によりテープ上から磁性粉等の異物を自動的に除去することができる。
【発明を実施するための最良の形態】
【０００７】
以下、本発明を実施するための最良の形態につき、図面を用いて説明する。
【実施例１】
【０００８】
図１〜図５は、本発明の第1の実施形態の説明図である。図１は、本発明の第１の実施形態としての磁気記録再生装置におけるテープガイドの構成を示す図、図２は、図１のテープガイドを用いた磁気記録再生装置のテープ走行系の平面図、図３は、磁気ヘッドブロック付近のテープ走行路例、図４は、図１のテープガイドの上面図、図５は、図１のテープガイドの側面図である。
【０００９】
図１において、５３はテープガイド、１１はガイドシャフト、１２はスリーブ、１３は下フランジピース、１４は上フランジピース、１５はストッパ、１７１〜１７8はらせん状切欠部である。
【００１０】
図２において、１は供給リール、２は巻き取りリール、３は磁気ヘッドブロック、４は磁気テープ、５１、５２はガイドピン、５３、５４はテープガイドである。
供給リール１に巻かれた磁気テープ４は、磁気テープ駆動手段（図示なし）によって、図中矢印方向に走行し、巻き取りリール２に巻き取られ、磁気ヘッドブロック３に取り付けられた磁気ヘッドによって信号の記録再生を行う。磁気ヘッドブロック３はマルチトラック記録に使用される固定ヘッド型、ヘリカルスキャン方式の回転ヘッド型のいずれでもよい。ガイドピン５１、５２は、主にテープ走行経路を決定するために、装置のシャーシ上に固定される。
【００１１】
図３において、テープガイド５３、５４はテープの幅方向の変動を規制するためにそれぞれ上下にフランジを持ち、装置のシャーシ上に固定されている。磁気テープ４上の磁性粉や塵埃などの異物は、テープエッジ付近に溜まり易く、特に磁気ヘッドブロック３として回転ヘッド型を使用した場合に、磁気テープ４の上側エッジ部に堆積することが多い。これらの異物が、そのまま巻き取りリール２内の磁気テープ４に進入したり、一旦テープ走行下流側のテープガイド５４などに付着した後、磁気テープ４の巻き戻し時に再び、磁気テープ４上に転写されたりすることが発生する。本実施形態においては、このテープエッジ付近に堆積した異物を効果的に除去する。
【００１２】
図４、図５において、本実施形態では、スリーブ１２、下フランジピース１３及び上フランジピース１４は、磁気テープ４の走行に対して同方向に回転するようになっているとともに、上フランジピース１４は、例えばステンレス材で構成され、らせん状切欠部１７１〜１７６が図に示すように形成されている。上フランジピース１４の該らせん状切欠部１７１〜１７６が回転することにより、磁気テープ４のエッジに接触する該らせん状切欠部１７１〜１７６のテーパ部分は順次、半径方向外側に移動し（図中の実効ブレード長：ｓ）、テープエッジに付着した異物を滑らかに削り取る（図中のクリーニング区間：Ｌ）。らせん状切欠部１７１〜１７６のテーパ部分は、テープ端面に対し約６０°以上の傾斜角をもったテーパ形状とされている。らせん状切欠部１７１〜１７６で磁気テープ４上から除去した異物は、テープ走行時に随時またはテープ走行停止時に、例えばふき取りや空気圧による吸い取りなどにより、該らせん状切欠部１７１〜１７６から除かれる。場合によっては、上フランジピース１４自体を交換したり、テープガイド５３全体を交換したりするようにしてもよい。
【００１３】
本実施形態では、上フランジピース１４に異物除去用の切欠部を設ける場合について説明したが、該切欠部は、下フランジピース１３、あるいは上フランジピース１４と下フランジピース１３の両方に設ける構成としてもよい。
【００１４】
本実施形態によれば、低価格でテープエッジ付近に堆積した塵埃等の異物を確実に除去することができ、装置の信頼性を向上させることができるとともに、エッジダメージが発生しにくくなる。
【実施例２】
【００１５】
図６、図７は、本発明の第２の実施形態の説明図である。図６は、本発明の第２の実施形態としての記録再生装置に用いるテープガイドの構成を示す上面図、図７は、テープガイドの側面図である。図６、図７において、１６１〜１６３は、上フランジピース１４に設けた放射状切欠部である。上フランジピース１４は、例えばステンレス材で構成される。放射状切欠部１６１は、上フランジピース１４によって幅方向規制を受け始めるテープガイドへのテープ進入点Ａの位置に設けられ、放射状切欠部１６２は、進入点Ａに続く当接部区間中の点Ｂの位置に設けられ、放射状切欠部１６３は、テープ退出点Ｃの位置に設けられる。本実施形態では、磁気テープ４の走行に関係なく、スリーブ１２、下フランジピース１３、上フランジピース１４は、ストッパ１５で固定される。
【００１６】
図７に示すように、Ａ、Ｂ、Ｃに位置する放射状切欠部１６１〜１６３は、テーパ形状となっており、磁気テープ４のエッジ付近に堆積した磁性粉や塵埃などの異物を磁気テープ４から削り取る。放射状切欠部１６１〜１６３は、テープ端面に対し約６０°以上の傾斜角をもったテーパ形状とされている。放射状切欠部１６１〜１６３は、上記Ａ、Ｂ、Ｃ以外の位置に設けてもよい。放射状切欠部１６１〜１６３で磁気テープ４上から除去した異物は、テープ走行時に随時またはテープ走行停止時に、例えばふき取りや空気圧による吸い取りなどにより、該放射状切欠部１６１〜１６３から除かれる。場合によっては、上フランジピース１４自体を交換したり、テープガイド５３全体を交換したりするようにしてもよい。
【００１７】
上記実施形態によれば、部品追加等が不要な簡易構成により、磁気テープ４のエッジ付近の磁性粉や塵埃などの異物を確実に除去することができ、装置の信頼性を向上させることができる。
【図面の簡単な説明】
【００１８】
【図１】本発明の第１の実施形態としての記録再生装置のテープガイド構成を示す図である。
【図２】図１のテープガイドを用いた磁気記録再生装置のテープ走行系の平面図である。
【図３】磁気ヘッドブロック付近のテープ走行路例を示す図である。
【図４】図１のテープガイドの上面図である。
【図５】図１のテープガイドの側面図である。
【図６】本発明の第２の実施形態としての記録再生装置のテープガイドの構成を示す図である。
【図７】図６のテープガイドの側面図である。
【符号の説明】
【００１９】
１…供給リール、
２…巻き取りリール、
３…磁気ヘッドブロック、
４…磁気テープ、
１１…ガイドシャフト、
１２…スリーブ、
１３…下フランジピース、
１４…上フランジピース、
１５…ストッパ、
５１、５２…ガイドピン、
５３、５４…テープガイド、
１６１〜１６３…放射状切欠部
１７１〜１７8…らせん状切欠部。
【図１】
2005322303.tif 000003
【図２】
2005322303.tif 000004
【図３】
2005322303.tif 000005
【図４】
2005322303.tif 000006
【図５】
2005322303.tif 000007
【図６】
2005322303.tif 000008
【図７】
2005322303.tif 000009